(57)【要約】      （修正有）【課題】多段ベッドの上段ベッドに設けられる床台板を強固に支持することができる多段ベッドを提供する。【解決手段】多段ベッドの上段ベッド２の床台板７を支持する構造であって、ベッド体の左右のサイドボード１３、１４に沿ってそれぞれ固定され、スノコ形状の床台板の左右の側端をサイドボードに掛止めて支持する支持片部８ａと段部片９ａとからなる支持部と、床台板掛止め位置の下方で、ベッド体のヘッドボード１５、１６とフットボード１７、１８の間に略水平に掛け渡されて床台板の底面に接しうる高さ位置に固定される支持柱１１とを有する。【選択図】図１
0003220950.tif 000002
【実用新案登録請求の範囲】
【請求項１】
多段ベッドの上段ベッドの床台板を支持する構造であって、ベッド体の左右のサイドボードに沿ってそれぞれ固定され、床台板の左右の側端をサイドボードに掛止めて支持する支持部と、
該床台板掛止め位置の下方で、前記ベッド体のヘッドボードとフットボードの間に略水平に掛け渡されて床台板の底面に接しうる高さ位置に固定される支持柱とを有することを特徴とする二段ベッド。
【請求項２】
支持柱が、床台板の底面の略中央に接しうる位置に設けられていることを特徴とする請求項１に記載の多段ベッド。
【請求項３】
床台板が、ヘッドボードとフットボードの間に伸びる複数の縦枠と、該縦枠の底面に固定されて、左右のサイドボード間に伸びる複数の横枠とからなるスノコ形状からなっており、該横枠の底面の中央に支持柱の上面が接しうるように設けられていることを特徴とする請求項２に記載の多段ベッド。
【請求項４】
支持部が、サイドボードに沿って固定される主支持部と，該主支持部の下部内側に沿って固定されて床台板の底面を掛止める段部を形成する段部部材とからなることを特徴とする請求項１から３のいずれかに記載の多段ベッド。
【考案の詳細な説明】
【技術分野】
【０００１】
本考案は、多段ベッド、およびベッドの床台板の落下を防止する方法に関するものである。詳しくは、二段ベッドなどの多段ベッドにおいて、特に危険性の高い上段ベッドの床台板が落下する事故を防止することができるものに関する。
【背景技術】
【０００２】
二段ベッドは、ベッド一台の設置面積があれば、上方向へベッドを設置できるので、省スペース化を図ることができるので広く利用されている。この二段ベッドでは、上下段のベッドの床台板を落下しないように両サイドボードで支える必要があり、特に、二段ベッドでは、上段ベッドの床台板を確実に支えて、床台板の落下事故を防止する必要がある。
【０００３】
そこで、例えば特開２０１７−５５９０８号の多段ベッドでは、所要位置に配置される下段ベッドと、該下段ベッドの上に設けられており、ベッド体の両サイドボードの内面に固定され、床台板を支えることができる主支持部と、前記ベッド体のヘッドボードとフットボードをつなぐように設けられ、前記床台板を前記主支持部と同じ高さで支えることができる補助支持部を有する一段または複数段の上段ベッドとを備える多段ベッドが提案されている。
しかし、上記構成では、主支持部と補助支持部によって上段のベッドの床台板を支持する構成からなるので、床台板の幅方向の中央で前後にかかる荷重を直接支持することができず、上段のベッドの床台板を支持する際に強度が十分でないという問題点があった。
【先行技術文献】
【特許文献】
【０００４】
【特許文献１】特開２０１７−５５９０８号公報
【考案の概要】
【考案が解決しようとする課題】
【０００５】
本考案は、以上の点を鑑みて創案されたものであり、その主たる課題は、二段ベッドにおいて、上段ベッドの床台板が重い荷重を支持して落下を防止することができるように、前記床台板の幅方向の中央で前後にかかる荷重を直接支持する支持柱を固定して、床台板の支持強度を高めることができる二段ベッドを提供することを目的とする。
【課題を解決するための手段】
【０００６】
上記の目的を達成するために、請求項１の考案では、
多段ベッドの上段ベッドの床台板を支持する構造であって、ベッド体の左右のサイドボードに沿ってそれぞれ固定され、床台板の左右の側端をサイドボードに掛止めて支持する支持部と、
該床台板掛止め位置の下方で、前記ベッド体のヘッドボードとフットボードの間に略水平に掛け渡されて床台板の底面に接しうる高さ位置に固定される支持柱とを有することを特徴とする。
請求項２の考案では、
前記支持柱が、床台板の底面の略中央に接しうる位置に設けられていることを特徴とする。
請求項３の考案では、
前記床台板が、ヘッドボードとフットボードの間に伸びる複数の縦枠と、該縦枠の底面に固定されて、左右のサイドボード間に伸びる複数の横枠とからなるスノコ形状からなっており、該横枠の底面の中央に支持柱の上面が接しうるように設けられていることを特徴とする。
請求項４の考案では、
前記支持部が、サイドボードに沿って固定される主支持部と，該主支持部の下部内側に沿って固定されて床台板の底面を掛止める段部を形成する段部部材とからなることを特徴とする。
【考案の効果】
【０００７】
二段ベッドの上段ベッドは、床台板の左右両端がサイドボードに沿って設けられた支持部に着脱可能に掛け止められ、その底面中央は、前後に伸びる支持柱によって支持されるので、上段ベッドにかかる荷重をサイドボードと支持柱とに分散し安全に支持することができる。
【図面の簡単な説明】
【０００８】
【図１】実施例１の二段ベッドの一部取付け状態を示す斜視図である。
【図２（ａ）】要部の拡大断面図であって床台板を掛止める前の状態を示す図である。
【図２（ｂ）】要部の拡大断面図であって床台板を掛止めた状態を示す図である。
【図３】同側面図である。
【図４】同正面図である。
【図５】同背面図である。
【考案を実施するための形態】
【０００９】
以下に、この考案の二段ベッドの好適実施例を図面を参照しながら説明する。
この二段ベッド３０は、組立式の木製部材からなっており、その基本的なベット構造は、公知のものとほぼ同様であり、この考案は、上段ベッド２の床台板７を支持する構造に特徴がある。
【００１０】
実施例１の二段ベッド３０は、図１、図３〜図５に示すように、直方体の隅部で直立して配置される左前方支脚柱３と、右前方支脚柱４と、左後方支脚柱５と、右後方支脚柱６とを有している。
上記４つの支脚柱で囲まれた枠体を上下２段に区切って、下段ベッド１と上段ベッド２とが形成される。
【００１１】
そして、上段ベッド２と下段ベッド１のそれぞれで、左前方支脚柱３と左後方支脚柱５の間、右前方支脚柱４と右後方支脚柱６の間に、略水平に横架されて上下に離間する上段で対向する一対のサイドボード１３と１４が固定されている。
また、同様に、左前方支脚柱３と右前方支脚柱４の間には上下にヘッドボード１５、１６が設けられ、左後方支脚柱５と右後方支脚柱６の間には上下にフットボード１７、１８とを有している。
【００１２】
また、図示例では、上段ベッド２の左後方支脚柱５側に掛けた梯子段４により上段ベッドにのぼりうる構成とされている。
本実施例では、更に前記各ボードとは別に、縦横にそれらの間に平行に複数の補強用の桟やパイプが適宜架け渡され固定されている公知構成からなるので説明を省略する。
【００１３】
二段ベッド３０の上段ベッド２で前記左右のサイドボード１３，１４の内面側には、図２（ａ）（ｂ）に示すように、長手方向に沿って、それぞれ矩形板状の支持片部８ａ、８ｂがそれぞれに固定されている。
該支持片部８ａ、８ｂは、サイドボード１３，１４の内面に沿って固定されており、該支持片部８ａ、８ｂの下部内側に沿って段部１０を形成するための段部片９ａ、９ｂが固定されている。
【００１４】
該段部片９ａ、９ｂは、上面が水平面となっており、前記支持片部８ａ、８ｂの内壁面との間で断面アングル状の段部１０を形成している。
これによって、サイドボード１３，１４の内面側に段部１０が形成され、後述の床台板７の底面を掛止めることができる。
【００１５】
次に、床台板７は、上段ベッド２のサイドボード１３，１３と平行になるように水平に前後に伸び、横幅方向に等間隔に離間して複数配置される縦枠７ａと、該縦枠７ａの底面に直角に交差して縦枠７ａの左右の端部まで揃えて伸び、平行に離間する複数の横枠７ｂとからなるスノコ形状からなっている。
【００１６】
この床台板７は、前記横枠７ｂの左右の端部底面が前記段部１０上に上から載置されて、床台板７を掛止めることができるようになっている。
これにより、床台板７を上段ベッド２に着脱可能に支持させ位置決めしている。
【００１７】
一方、床台板７を掛止める上段のサイドボード１３の下方には、前記ヘッドボード１５の下方に前方サポートボード１９が左前方支脚柱３と右前方支脚柱４との間に固定されている。
また、同様に、前記ヘッドボード１５の下方で、前記前方サポートボード１９と同一高さ位置に、後方サポートボード２０が左後方支脚柱５と右後方支脚柱６との間に固定されている。
【００１８】
そして、前記前方サポートボード１９と後方サポートボード２０の中央を前後に延びるように１本の支持柱部１１の前端および後端が固定されている。
図示例では、後方サポートボード２０はフットボード１７を兼用している。
ここで支持柱部１１は、図示例の場合、断面矩形の柱材の短手方向を横向きにし、長手方向を縦向きにしており、上下方向の荷重に対する強度を高めている。
【００１９】
しかし、この考案では、柱材の短手方向であっても十分な強度を有するものでれば、短手方向を縦向きとしてもよい。また、断面正方形の柱材であってもよく、強度が備わっていればその断面形状は問わない。
この支持柱部１１の横幅は、前記横枠７ｂの横方向の間隔よりも長い厚みを有しているので、隣接する横枠７ｂ、７ｂの間に隙間に入り込むおそれがない。
【００２０】
この支持柱部１１の位置は、前記床台板７を段部１０に掛け止めた際に、全ての横枠７ｂの底面のほぼ中央に支持柱部１１の上面が接する高さ位置となるように配置されている。
また、図示例では中央に１本設けたが、複数本を設けてもよい。
これにより床台部７にかかる荷重は、縦枠７ａ、横枠７ｂを介して支持柱部１１にかかるので、支持柱部１１により十分に受けることができ安全である。
【００２１】
この考案は上段ベッドの床台板７の支持構造であって、実施例では２段ベッドを例示したが多段ベッドで２段以上のベッドに用いてもよい。
また、下段（最下段）ベッドにおいても同じように支持柱部を用いた支持構造であってもよい。
また、下段ベッドは、公知の他の支持構造を用いてもよい。
この考案は前記実施例に限定されるものではなく、要するに、この考案の要旨を変更しない範囲で種々設計を変更することができる。
【符号の説明】
【００２２】
１  下段ベッド
２  上段ベッド
３  左前方支脚柱
４  右前方支脚柱
５  左後方支脚柱
６  右後方支脚柱
７  床台板
７ａ  縦枠
７ｂ  横枠
８ａ、８ｂ  支持片部
９ａ、９ｂ  段部片
１０  段部
１１  支持柱部
１３、１４  上段のサイドボード
１５、１６  ヘッドボード
１７、１８  フットボード
１９、前方サポートボード
２０  後方サポートボード
３０  二段ベッド
【図１】
0003220950.tif 000003
【図２（ａ）】
0003220950.tif 000004
【図２（ｂ）】
0003220950.tif 000005
【図３】
0003220950.tif 000006
【図４】
0003220950.tif 000007
【図５】
0003220950.tif 000008